(57)【要約】【課題】圧縮流体の逆流を抑止／防止でき、従来よりも圧縮効率の向上を可能にした圧縮機を提供する。【解決手段】吐出ポート（２３）によって連通する一方の側（２１）と他方の側（２２）の圧力差に応じて自動的に吐出ポート（２３）の他方の側（２２）に開口する吐出口（２４）を開閉する吐出弁機構（Ｂ）を備え、吐出弁機構（Ｂ）が、一方の側（２１）の圧力が他方の側（２２）の圧力よりも大きくなるとともに弾性変形して吐出口（２４）を開き、一方の側（２１）の圧力が他方の側（２２）の圧力以下になるとともに元に戻って吐出口（２４）を閉じる弁体（２５）と、吐出口（２４）が形成された他方の側（２２）の一面（１７ａ）から突出し、吐出口（２４）の周囲に、且つ弁体（２５）の周囲に設けられた壁部（３０）とを備える。【選択図】図３
2018091165.tif 000002
【特許請求の範囲】
【請求項１】
吐出ポートによって連通する一方の側と他方の側の圧力差に応じて自動的に前記吐出ポートの前記他方の側に開口する吐出口を開閉する吐出弁機構を備え、
前記吐出弁機構が、前記一方の側の圧力が前記他方の側の圧力よりも大きくなるとともに弾性変形して前記吐出口を開き、前記一方の側の圧力が前記他方の側の圧力以下になるとともに元に戻って前記吐出口を閉じる弁体と、
前記吐出口が形成された前記他方の側の一面から突出し、前記吐出口の周囲に、且つ前記弁体の周囲に設けられた壁部とを備える圧縮機。
【請求項２】
前記壁部が、前記吐出口が開いて前記一方の側から前記他方の側に吐出された圧縮流体が渦流となる渦流発生領域に配設されている請求項１記載の圧縮機。
【請求項３】
前記弁体が一端側を固定し、他端側で前記吐出口を開閉するリード弁体であり、前記吐出口を開く際の前記リード弁体の一端から他端に沿う長手方向のリフト量に応じて、前記壁部の配置及び／又は高さが設定されている請求項１または請求項２に記載の圧縮機。
【請求項４】
前記吐出弁機構が、前記吐出口が形成された前記他方の側の一面に凹設され、前記吐出口の周囲に、且つ前記弁体の周囲に設けられた凹部とを備える請求項１から請求項３のいずれか一項に記載の圧縮機。
【請求項５】
吐出ポートによって連通する一方の側と他方の側の圧力差に応じて自動的に前記吐出ポートの前記他方の側に開口する吐出口を開閉する吐出弁機構を備え、
前記吐出弁機構が、前記一方の側の圧力が前記他方の側の圧力よりも大きくなるとともに弾性変形して前記吐出口を開き、前記一方の側の圧力が前記他方の側の圧力以下になるとともに元に戻って前記吐出口を閉じる弁体と、
前記吐出口が形成された前記他方の側の一面に凹設されるとともに、前記吐出口の周囲に、且つ前記弁体の周囲に設けられた凹部とを備える圧縮機。
【発明の詳細な説明】
【技術分野】
【０００１】
本発明は、圧縮機に関する。
【背景技術】
【０００２】
空調機、冷凍機などには、冷媒などの流体を圧縮するための圧縮機が具備されている。また、この種の圧縮機には、スクロール圧縮機、ロータリー圧縮機などが適用されている。
【０００３】
例えば、スクロール圧縮機は、円筒状のハウジング本体、ハウジング本体の上部及び下部の開口を閉塞する上部カバー及び下部カバーからなるハウジングと、ハウジングの内部を仕切って上部側に吐出チャンバを区画形成するディスチャージカバーと、ハウジング内に収容され、吸入管を通じてハウジング内に導入された冷媒などの流体を固定スクロールに対する旋回スクロールの公転旋回運動によって圧縮するスクロール圧縮機構と、旋回スクロールを公転旋回運動させるための電動モータ及び回転軸とを備えて構成されている（例えば、特許文献１、特許文献２参照）。
【０００４】
ディスチャージカバーには、スクロール圧縮機構側の圧縮室（一方の側）と吐出チャンバ（他方の側）を連通させる吐出ポートが貫通形成されている。また、ディスチャージカバーの吐出チャンバ側に開口する吐出口を旋回スクロールの１回転中の圧縮イベントに応じて、すなわち、圧縮室と吐出チャンバの圧力差に応じて自動的に開閉し、吐出チャンバから圧縮室に圧縮流体が逆流することを防ぐための弁体、これを有する吐出弁機構が具備されている。
【０００５】
スクロール圧縮機では、電動モータによって回転軸が回転し、スクロール圧縮機構の旋回スクロールが公転旋回運動することにより、吸入管からハウジング内に導入された冷媒などの流体が圧縮室で圧縮され、圧縮流体（高温高圧の圧縮ガス）が生成される。
【０００６】
圧縮室が吐出チャンバよりも高圧になると、この圧力差によって弁体（リード弁体）が押し上げられ、吐出ポートの吐出口が開き、圧縮流体が吐出ポート、吐出口を通じて吐出チャンバに噴出して給送される。さらに、圧縮流体が、吐出チャンバから吐出管を通じて、例えばスクロール圧縮機が接続されている冷凍サイクル側に吐出し給送される。
【先行技術文献】
【特許文献】
【０００７】
【特許文献１】特開２０１４−０４０８２７号公報
【特許文献２】特開２０１３−１６７２１５号公報
【発明の概要】
【発明が解決しようとする課題】
【０００８】
しかしながら、上記従来の圧縮機においては、圧縮イベントが終わるときにリード弁体が吐出口を閉じるが、このリード弁体の弁閉じ時に、一方の側の圧縮室と他方の側の吐出チャンバの圧力差が小さくなるため、瞬間的にリード弁体と吐出口の隙間を通って一部の冷媒などの圧縮流体が逆流する場合があり、この圧縮流体の逆流が圧縮効率を低下させる要因となるおそれがあった。
【０００９】
また、冷媒などの圧縮流体の逆流により、圧力脈動が生じ、これに伴って脈動音（騒音）が発生する場合があった。
【００１０】
さらに、一方の側の圧縮室と他方の側の吐出チャンバの圧力差に応じてリード弁体が開閉し、圧縮室から吐出チャンバへの限定された一方向のみに圧縮流体が吐出されるため、リード弁体が吐出口を開いて圧縮流体が吐出ポートから吐出チャンバに噴出する際にチョーク流れが発生し、これによって圧縮効率の低下を招くおそれもある。
【課題を解決するための手段】
【００１１】
本発明の圧縮機は、吐出ポートによって連通する一方の側と他方の側の圧力差に応じて自動的に前記吐出ポートの前記他方の側に開口する吐出口を開閉する吐出弁機構を備え、前記吐出弁機構が、前記一方の側の圧力が前記他方の側の圧力よりも大きくなるとともに弾性変形して前記吐出口を開き、前記一方の側の圧力が前記他方の側の圧力以下になるとともに元に戻って前記吐出口を閉じる弁体と、前記吐出口が形成された前記他方の側の一面から突出し、前記吐出口の周囲に、且つ前記弁体の周囲に設けられた壁部とを備える。
【００１２】
また、本発明の圧縮機は、前記壁部が、前記吐出口が開いて前記一方の側から前記他方の側に吐出された圧縮流体が渦流となる渦流発生領域に配設されていることが望ましい。
【００１３】
さらに、本発明の圧縮機は、前記弁体が一端側を固定し、他端側で前記吐出口を開閉するリード弁体であり、前記吐出口を開く際の前記リード弁体の一端から他端に沿う長手方向のリフト量に応じて、前記壁部の配置及び／又は高さが設定されていてもよい。
【００１４】
また、本発明の圧縮機は、前記吐出弁機構が、前記吐出口が形成された前記他方の側の一面に凹設され、前記吐出口の周囲に、且つ前記弁体の周囲に設けられた凹部とを備えてもよい。
【００１５】
本発明の圧縮機は、吐出ポートによって連通する一方の側と他方の側の圧力差に応じて自動的に前記吐出ポートの前記他方の側に開口する吐出口を開閉する吐出弁機構を備え、前記吐出弁機構が、前記一方の側の圧力が前記他方の側の圧力よりも大きくなるとともに弾性変形して前記吐出口を開き、前記一方の側の圧力が前記他方の側の圧力以下になるとともに元に戻って前記吐出口を閉じる弁体と、前記吐出口が形成された前記他方の側の一面に凹設されるとともに、前記吐出口の周囲に、且つ前記弁体の周囲に設けられた凹部とを備える。
【発明の効果】
【００１６】
本発明の圧縮機においては、吐出口の周囲に、且つ弁体の周囲に壁部及び／又は凹部が設けられているため、一方の側と他方の側の圧力差に応じ、弾性変形して吐出口を開いていた弁体が元に戻って吐出口を閉じる弁閉じ時に、壁部や凹部によって瞬間的に他方の側から一方の側への圧縮流体の逆流が生じることを抑止（防止）することができる。
【００１７】
これにより、従来と比較し、圧縮流体の生成効率を高めることが可能になるとともに、圧縮流体の逆流に伴う脈動ひいては脈動に伴う騒音の発生を防止することが可能になる。また、壁部や凹部によって圧縮流体の流れを制御できるため、チョーク流れの発生を防止でき、この点からも圧縮流体の生成効率の低下を防止できる。
【図面の簡単な説明】
【００１８】
【図１】本発明の第１、第２実施形態に係る圧縮機を示す縦断面図である。
【図２】本発明の第１実施形態に係る吐出弁機構を示す縦断面図である。
【図３】図２のＸ１−Ｘ１線矢視図であり、本発明の第１実施形態に係る吐出弁機構を示す横断面図である。
【図４】本発明の第１実施形態に係る吐出弁機構の変更例を示す縦断面図である。
【図５】従来の吐出弁機構を示す縦断面図である。
【図６】図５のＸ１−Ｘ１線矢視図であり、従来の吐出弁機構を示す横断面図である。
【図７】本発明の第１実施形態に係る吐出弁機構の変更例を示す縦断面図である。
【図８】図７のＸ１−Ｘ１線矢視図であり、本発明の第１実施形態に係る吐出弁機構の変更例を示す平面図である。
【図９】本発明の第２実施形態に係る吐出弁機構を示す縦断面図である。
【図１０】図９のＸ１−Ｘ１線矢視図であり、本発明の第２実施形態に係る吐出弁機構を示す平面図である。
【発明を実施するための形態】
【００１９】
以下、図１から図８を参照し、本発明の第１実施形態に係る圧縮機について説明する。ここで、本実施形態では、本発明に係る圧縮機が空気調和機、冷凍機などに具備される縦型のスクロール圧縮機であるものとして説明を行う。
【００２０】
本実施形態の圧縮機Ａは、図１に示すように、ハウジング１と、ハウジング１内に設けられる電動モータ２と、同じくハウジング１内に設けられ、電動モータ２の駆動によって冷媒等の流体を圧縮するスクロール圧縮機構３とを備えて構成されている。
【００２１】
ハウジング１は、円筒状のハウジング本体１ａと、ハウジング本体１ａの上端の開口を閉塞する上部カバー１ｂと、ハウジング本体１ａの下端の開口を閉塞する下部カバー１ｃとを備えて形成されている。ハウジング１には、ハウジング本体１ａの側面にアキュムレータなどからハウジング１内に冷媒などの流体を供給するための吸入管４が設けられ、上部カバー１ｂにスクロール圧縮機構３で圧縮した流体を外部に吐出するための吐出管５が設けられている。
【００２２】
電動モータ２は、ステータ６とロータ７とを備え、電源からステータ６に給電されるとともにロータ７が上下方向Ｓ１に延びる軸線Ｏ１周りの一方向に回転するように構成されている。
【００２３】
また、ロータ７には、回転軸８が軸線Ｏ１方向を上下方向Ｓ１に向けて一体に取り付けられている。回転軸８は、軸線Ｏ１方向上端側が上部軸受１０に、下端側が下部軸受１１にそれぞれ軸支され、ロータ７の回転とともに軸線Ｏ１周りに回転するように設けられている。上部軸受１０及び下部軸受１１はそれぞれハウジング本体１ａに一体に固定して設けられている。
【００２４】
回転軸８の上端部には、その軸線Ｏ２を上下方向Ｓ１に向け、且つ回転軸８の軸線Ｏ１に対して偏心（オフセット）させて、偏心ピン１２が一体に設けられている。
【００２５】
スクロール圧縮機構３は、固定スクロール１５と、固定スクロール１５に対して公転旋回する旋回スクロール１６と、ディスチャージカバー１７と、吐出弁機構Ｂとを備えている。
【００２６】
固定スクロール１５は、円盤状の端板１５ａと、端板１５ａの下面から下方に突出するとともに渦巻状に設けられた固定ラップ１５ｂとを備えて形成されている。固定スクロール１５は、上部軸受１０にボルト接合するなどしてハウジング１内に固定して配設されている。また、固定スクロール１５には、端板１５ａの下面から上面に貫通形成して連通孔１８が設けられている。
【００２７】
旋回スクロール１６は、円盤状の端板１６ａと、端板１６ａの上面から上方に突出するとともに渦巻き状に配設された旋回ラップ１６ｂとを備えて形成されている。
【００２８】
また、旋回スクロール１６の端板１６ａの下面（背面）にボス２０が一体に設けられ、ボス２０に軸受を介してドライブブッシュが組み付けられている。
【００２９】
ドライブブッシュの内側に偏心ピン１２が嵌合されている。これにより、旋回スクロール１６は、回転軸８に偏心して接続され、回転軸８の軸線Ｏ１周りの回転に従動し、回転軸８の軸線（軸心）Ｏ１からの偏心距離を半径として回転（公転）するように設けられている。なお、旋回スクロール１６が公転し、自転しないようにするため、旋回スクロール１６と回転軸８との間にオルダムリングなどの自転拘束部材が設けられている。
【００３０】
固定スクロール１５と旋回スクロール１６は、上下に重なるように固定ラップ１５ｂと旋回ラップ１６ｂを噛合させて配設されている。このとき、固定スクロール１５と旋回スクロール１６は、互いに所定量だけ偏心し、１８０度位相をずらして固定ラップ１５ｂと旋回ラップ１６ｂが噛合するように設けられ、旋回スクロール１６の回転角に応じて固定ラップ１５ｂと旋回ラップ１６ｂが複数箇所で接触するように配設されている。
【００３１】
また、固定スクロール１５の下面と旋回スクロール１６の上面との間、すなわち、固定ラップ１５ｂと旋回ラップ１６ｂが噛合する部分が冷媒などの流体を圧縮する圧縮室２１とされ、本実施形態のスクロール圧縮機構３においては、この圧縮室２１が固定ラップ１５ｂ及び旋回ラップ１６ｂの渦巻きの中心部（最内周部）に対して点対称に形成され、旋回スクロール１６の旋回運動に応じてその容積を減少させながら漸次内周側に遷移することにより、渦巻きの中心部で流体が最大に圧縮されるように構成されている。
【００３２】
ディスチャージカバー１７は、固定スクロール１５の上方に配設されるとともに、ハウジング１内を吐出管５が接続された上部側の吐出チャンバ２２と、吸入管４が接続された下部側の空間（圧縮室２１）とに仕切って区画するように設けられている。
【００３３】
一方、本実施形態の吐出弁機構Ｂは、図１、図２、図３、図４に示すように、ディスチャージカバー１７の下面から上面（一面）に貫通形成され、固定スクロール１５の端板１５ａに貫通形成された連通孔１８を通じて圧縮室２１と吐出チャンバ２２を連通させる吐出ポート２３と、吐出ポート２３のディスチャージカバー１７の上面（一面）１７ａに開口形成された円形状の吐出口２４を圧縮室２１と吐出チャンバ２２の圧力差に応じて開閉する弁体２５とを備えている。
【００３４】
弁体２５は、リード弁体であり、一端（基端）２５ａ側をディスチャージカバー１７の上面１７ａに固定し、他端（先端）２５ｂ側が上下方向Ｓ１に重なって吐出口２４を閉塞するように設けられている。
【００３５】
弁体２５は、一端２５ａ側をディスチャージカバー１７に固定した固定部分を支点とし、圧縮室２１の圧力が吐出チャンバ２２の圧力以下のとき、他端２５ｂ側が吐出口２４を閉じた状態となり、圧縮室２１の圧力が吐出チャンバ２２の圧力よりも大きくなったとき、一端２５ａ側をディスチャージカバー１７に固定した固定部分を支点とし、圧力差によって弾性変形して他端２５ｂ側が上方にリフトアップして吐出口２４を開き、圧縮室２１から吐出チャンバ２２に吐出口２４を通じて圧縮流体Ｒを給送させる。また、弁体２５は、吐出口２４を開き、圧縮流体Ｒを吐出チャンバ２２に給送し、圧縮室２１の圧力が吐出チャンバ２２の圧力以下になると、他端２５ｂ側が元の状態まで下がり、吐出口２４を閉じる。
【００３６】
すなわち、この弁体２５は、圧縮室２１と吐出チャンバ２２の圧力差に応じて自動的に吐出口２４を開閉し、圧縮室２１から吐出チャンバ２２に圧縮流体Ｒを給送するように構成されている。
【００３７】
また、本実施形態では、ディスチャージカバー１７に、円形の吐出口２４を囲繞するようにディスチャージカバー１７の上面（一面）１７ａから上方に突出し、円環状に繋がる弁座１７ｂが設けられており、弁体２５の下面が弁座１７ｂの突出方向上端に密着することで吐出口２４を閉じるように構成されている。
【００３８】
さらに、本実施形態では、一端側をディスチャージカバー１７に固定して支持させ、他端側に向かうに従い上方に傾斜するように、且つ、弁体２５及び吐出口２４の上方に重なるようにして、リテーナ２６が設けられている。このリテーナ２６は、圧力差によって弁体２５が弾性変形し、リフトアップした際に当接し、それ以上のリフトアップを規制するためのものである。すなわち、リテーナ２６は、一端側から他端側に向かって所定の傾斜角度で形成されていることにより、弁体２５の一端２５ａ側から他端２５ｂまでの弾性変形してリフトアップする部分の長手方向Ｓ２のそれぞれの位置のリフト量を規制するように設けられている。
【００３９】
これにより、本実施形態の吐出弁機構Ｂは、吐出口２４を開く際に弁体２５が過剰に弾性変形することがないように構成されている。
【００４０】
上記のように構成した本実施形態の圧縮機Ａにおいては、例えば、空気調和機や冷凍機が備える制御装置によってその運転が制御され、この圧縮機Ａを起動する際には、制御装置により電動モータ２を励磁するとともに、吸入管４を通じてハウジング１内に冷媒などの流体を導入する。
【００４１】
電動モータ２が励磁されると回転軸８が回転し、これとともに旋回スクロール１６が固定スクロール１５に対して公転旋回運動する。これにより、旋回スクロール１６と固定スクロール１５の間の圧縮室２１で冷媒などの流体が圧縮される。なお、旋回スクロール１６の公転旋回運動によって流体が圧縮されるとともに、吸入管４からハウジング１内、さらに旋回スクロール１６及び固定スクロール１５の外周部から旋回スクロール１６と固定スクロール１５との間に順次吸い込まれてゆく。
【００４２】
そして、渦巻きの中心部に形成される圧縮室２１内で最大に圧縮された圧縮流体Ｒは、連通孔１８、吐出ポート２３を流通して吐出弁機構Ｂの弁体２５を押し上げ、弁体２５の押し上げによって開口した吐出口２４から吐出チャンバ２２内に噴出して給送される。さらに、吐出チャンバ２２から吐出管５を通じて外部の冷媒回路などに吐出される。このとき、渦巻き中心部の圧縮室２１内の流体は、圧縮室２１と、連通孔１８及び吐出ポート２３内の圧力が吐出チャンバ２２内の圧力と平衡になるまで吐出される。
【００４３】
すなわち、圧縮流体Ｒが吐出チャンバ２２に吐出され、圧縮室２１内の圧力が吐出チャンバ２２の圧力以下になると、弁体２５が押し下げられ、自動的に吐出口２４が閉塞される。これにより、制御装置によって圧縮機Ａの運転が停止制御されるまで、電動モータ２の駆動とともに継続する旋回スクロール１６の公転旋回運動によって所望の圧力をもった圧縮流体Ｒが生成され、上記の圧縮流体Ｒの冷媒回路などへの吐出、供給が繰り返し行われる。
【００４４】
ここで、圧縮流体Ｒが吐出口２４から噴出し、圧縮室２１と吐出チャンバ２２の圧力差が小さくなるに従い、徐々に弁体２５が押し下がってゆき、弁体２５が弁座１７ｂに当接した段階で吐出口２４が閉じる。
【００４５】
この弁閉じ時に、図５、図６に示すように、圧縮室２１と吐出チャンバ２２の圧力差が小さくなり、完全に弁体２５が吐出口２４を閉じていない状態で瞬間的に圧力バランスが崩れ、吐出チャンバ２２から圧縮室２１への圧縮流体Ｒ（Ｒ’）の逆流が生じるおそれがあった。この逆流現象が発生すると、圧縮流体Ｒの生成効率の低下を招くことになる。また、圧縮流体Ｒの逆流によって圧力脈動、ひいては騒音が発生するおそれもある。さらに、圧縮流体Ｒが吐出口２４から吐出チャンバ２２内に噴出するとき、吐出口２４のある限定された方向のみに圧縮流体Ｒが噴出するため、チョーク流れが発生しやすい。
【００４６】
これに対し、本実施形態の吐出弁機構Ｂにおいては、図２、図３、図４に示すように、吐出口２４の周囲に、且つ弁体２５の周囲に、ディスチャージカバー１７の上面（一面）１７ａから上方に突出する壁部３０を設けて構成されている。
【００４７】
また、本実施形態では、壁部３０が、圧縮室２１の圧力が吐出チャンバ２２の圧力よりも大きくなり、弁体２５が弾性変形して開いた吐出口２４から圧縮流体Ｒが吐出チャンバ２２に給送される際に、吐出ポート２３内を流通し、吐出口２４から吐出した圧縮流体Ｒが渦流となる渦流発生領域に設けられている。
【００４８】
さらに、図７、図８に示すように、圧縮室２１と吐出チャンバ２２の圧力差によって弾性変形した弁体２５の傾斜角度に対応するように、すなわち、弁体２５の一端２５ａ側から他端２５ｂまでの長手方向Ｓ２の各位置のリフト量Ｌの大きさに対応（例えば比例）するように、壁部３０が吐出口２４の周囲及び弁体２５の周囲の位置に応じてその突出方向の高さ寸法を変えて形成されていてもよい。言い換えれば、圧縮流体Ｒの逆流が少ない部分（ない部分）や渦流の発生が少ない部分（ない部分）には、壁部３０を設けなかったり、壁部３０の高さを小さくするようにしている。
なお、図８に示すように、弁体２５は、他端２５ｂ側の部分に対してくびれを設け、一端２５ａ側の幅を小さくして形成する必要はなく、特にその形状を限定する必要はない。
【００４９】
したがって、本実施形態の圧縮機Ａにおいては、吐出口２４の周囲に、且つ弁体２５の周囲に壁部３０が設けられていることで、吐出口２４を開くように弾性変形した弁体２５が元に戻って吐出口２４を閉じる弁閉じの瞬間に、この壁部３０によって吐出チャンバ２２から圧縮室２１への圧縮流体Ｒ（Ｒ’）の逆流が生じることを抑止／防止できる。
【００５０】
これにより、従来と比較し、圧縮流体Ｒの生成効率を高めることが可能になるとともに、圧縮流体Ｒの逆流に伴う脈動ひいては脈動に伴う騒音の発生を防止することが可能になる。また、壁部３０によって圧縮流体Ｒの流れを制御できるため、チョーク流れの発生を防止でき、この点からも圧縮流体Ｒの生成効率の低下を抑止／防止できる。
【００５１】
また、本実施形態の圧縮機Ａにおいては、吐出口２４から吐出した圧縮流体Ｒが渦流となる渦流発生領域に壁部３０を設けることで、圧縮流体Ｒの渦流の発生を抑止／防止することができる。これにより、圧縮流体Ｒの渦流の発生に伴う圧縮流体Ｒの生成効率の低下を抑止／防止することも可能になる。
【００５２】
さらに、圧縮流体Ｒの逆流が少ない部分（ない部分）や渦流の発生が少ない部分（ない部分）に対し、壁部３０を設けなかったり、壁部３０の高さを小さくすることで、壁部３０を設けることによる圧力損失が生じることを防止して上記の作用効果を奏功することができる。
【００５３】
以上、本発明に係る圧縮機の第１実施形態について説明したが、本発明は上記の第１実施形態に限定されるものではなく、その趣旨を逸脱しない範囲で適宜変更可能である。
【００５４】
例えば、本実施形態では、本発明に係る圧縮機が空気調和機、冷凍機などに具備される縦型のスクロール圧縮機であるものとして説明を行ったが、本発明の圧縮機は、横型のスクロール圧縮機やロータリー圧縮機など、他の形式の圧縮機であってもよい。
【００５５】
すなわち、本発明は、一方の側（２１）から他方の側（２２）に連通し、圧縮流体Ｒを給送する吐出ポート２３の吐出口２４を一方の側（２１）と他方の側（２２）の圧力差によって開閉する弁体２５を有する吐出弁機構Ｂを備えるとともに、この吐出弁機構Ｂに、圧縮流体Ｒの逆流や渦流の発生を抑止／防止するための壁部３０を設けて構成されていればよく、特に圧縮流体Ｒを生成する形式／構成を限定する必要はない。
【００５６】
そして、本実施形態の圧縮機Ａと圧縮流体Ｒを生成する形式／構成が異なる場合であっても、吐出弁機構Ｂに、圧縮流体Ｒの逆流や渦流の発生を抑止／防止するための壁部３０を設けて構成されていれば、本実施形態と同様の作用効果を得ることが可能である。
【００５７】
また、本実施形態では、圧縮流体Ｒの渦発生領域に壁部３０を設けるものとしたが、弁体２５の他端２５ｂ側の弁座１７ｂ付近に壁部３０を設けるなど、渦流の発生の大小、有無を問わず、圧縮流体Ｅの逆流量が多い箇所に壁部３０を設けるようにしてもよい（図７、図８参照）。また、壁部３０の側面を多段状（階段状）に形成し、逆流や渦流の発生をより効果的に抑止／防止できるように構成してもよい。
【００５８】
次に、図６、図７（図１）を参照し、本発明の第２実施形態に係る圧縮機について説明する。ここで、本実施形態は、第１実施形態と同様、本発明に係る圧縮機が空気調和装置、冷凍機などに具備されるスクロール圧縮機に関し、第１実施形態に対して吐出弁機構の構成のみが異なるものである。よって、本実施形態では、第１実施形態と同様の構成に対して同一符号を付し、その詳細な説明を省略する。
【００５９】
本実施形態の圧縮機Ａは、第１実施形態と同様、ハウジング１と、ハウジング１内に設けられる電動モータ２と、同じくハウジング１内に設けられ、電動モータ２の駆動によって冷媒等の流体を圧縮するスクロール圧縮機構３とを備えて構成されている。
【００６０】
スクロール圧縮機構３は、固定スクロール１５と、固定スクロール１５に対して公転旋回する旋回スクロール１６と、ディスチャージカバー１７と、吐出弁機構Ｂとを備えている。
【００６１】
また、本実施形態の吐出弁機構Ｂは、ディスチャージカバー１７の下面から上面１７ａに貫通形成され、固定スクロール１５の端板１５ａに貫通形成された連通孔１８を通じて圧縮室２１と吐出チャンバ２２を連通させる吐出ポート２３と、吐出ポート２３のディスチャージカバー１７の上面１７ａに開口形成された円形状の吐出口２４を圧縮室２１と吐出チャンバ２２の圧力差に応じて開閉する弁体２５とを備えている。
【００６２】
一方、本実施形態の吐出弁機構Ｂにおいては、図６、図７に示すように、吐出口２４の周囲に、且つ弁体２５の周囲に、ディスチャージカバー１７の上面１７ａから下方に凹む凹部３１を設けて構成されている。
【００６３】
さらに、本実施形態では、圧縮室２１と吐出チャンバ２２の圧力差によって弾性変形した弁体２５の傾斜角度に対応するように、すなわち、弁体２５の一端２５ａ側から他端２５ｂまでの長手方向Ｓ２の各位置のリフト量Ｌの大きさに対応（例えば比例）するように、凹部３１が吐出口２４の周囲及び弁体２５の周囲の位置に応じてその凹設方向の深さ寸法を変えて形成されていてもよい。言い換えれば、圧縮流体Ｒの逆流が少ない部分（ない部分）には、凹部３１を設けなかったり、凹部３１の深さを小さくするようにしてもよい。
【００６４】
したがって、本実施形態の圧縮機Ａにおいては、吐出口２４の周囲に、且つ弁体２５の周囲に凹部３１が設けられていることで、吐出口２４を開くように弾性変形した弁体２５が元に戻って吐出口２４を閉じる弁閉じの瞬間に、この凹部３１によって吐出チャンバ２２から圧縮室２１への圧縮流体Ｒの逆流が生じることを抑止／防止できる。
【００６５】
これにより、従来と比較し、圧縮流体Ｒの生成効率を高めることが可能になるとともに、圧縮流体Ｒの逆流に伴う脈動ひいては脈動に伴う騒音の発生を防止することが可能になる。また、凹部３１によって圧縮流体Ｒの流れを制御できるため、チョーク流れの発生を防止でき、この点からも圧縮流体Ｒの生成効率の低下を抑止／防止できる。
【００６６】
さらに、圧縮流体Ｒの逆流が少ない部分（ない部分）に対し、凹部３１を設けなかったり、凹部３１の深さを小さくすることで、凹部３１を設けることによる圧力損失が生じることを防止して上記の作用効果を奏功することができる。
【００６７】
以上、本発明に係る圧縮機の第２実施形態について説明したが、本発明は上記の第２実施形態に限定されるものではなく、第１実施形態の変更例（第１実施形態の変更例と同様の変更例）を含め、その趣旨を逸脱しない範囲で適宜変更可能である。
【００６８】
例えば、第１実施形態の壁部３０と、本実施形態の凹部３１とを兼ね備えて吐出弁機構Ｂを構成するようにしてもよい。例えば図１０に示すように、Ｔ１側に壁部３０を設け、Ｔ２側に凹部３１を設けると、その効果を好適に発揮させることができる。
【符号の説明】
【００６９】
１      ハウジング
１ａ    ハウジング本体
１ｂ    上部カバー
１ｃ    下部カバー
２      電動モータ
３      スクロール圧縮機構
４      吸入管
５      吐出管
６      ステータ
７      ロータ
８      回転軸
１０    上部軸受
１１    下部軸受
１２    偏心ピン
１５    固定スクロール
１５ａ  端板
１５ｂ  固定ラップ
１６    旋回スクロール
１６ａ  端板
１６ｂ  旋回ラップ
１７    ディスチャージカバー
１７ａ  上面（一面）
１７ｂ  弁座
１８    連通孔
２０    ボス
２１    圧縮室（一方の側）
２２    吐出チャンバ（他方の側）
２３    吐出ポート
２４    吐出口
２５    弁体（リード弁体）
２５ａ  一端
２５ｂ  他端
２６    リテーナ
３０    壁部
３１    凹部
Ａ      圧縮機
Ｂ      吐出弁機構
Ｌ      リフト量
Ｏ１    軸線
Ｏ２    軸線
Ｒ      圧縮流体
Ｒ’    逆流した圧縮流体
Ｓ１    上下方向
Ｓ２    弁体の長手方向
【図１】
2018091165.tif 000003
【図２】
2018091165.tif 000004
【図３】
2018091165.tif 000005
【図４】
2018091165.tif 000006
【図５】
2018091165.tif 000007
【図６】
2018091165.tif 000008
【図７】
2018091165.tif 000009
【図８】
2018091165.tif 000010
【図９】
2018091165.tif 000011
【図１０】
2018091165.tif 000012